(57)【特許請求の範囲】
【請求項１】
（ａ）横方向に位置決めされた鋳造表面を有して間に薄鋳造ストリップを鋳造できるロール間隙を形成し、該ロール間隙上方の鋳造表面で支持され得る溶融金属の鋳造溜めが形成できる、一対の相互方向に回転可能な鋳造ロールと、
（ｂ）ロールカセットに取付けられた前記鋳造ロールであって、セットアップステーションでは、ロールカセットに取付けられた鋳造ロールが鋳造用に準備可能であり、移送ステーションでは鋳造ロールを取付けたロールカセットが別の鋳造ロールを取付けたロールカセットと交換可能であり、鋳造位置ではロールカセットに取付けられた鋳造ロールが鋳造機内で作動可能である、セットアップステーションから移送ステーションを介し鋳造位置へと移送可能な鋳造ロールと、
（ｃ）ロールカセットに取付けられた鋳造ロールの、セットアップステーションと移送ステーションとの間の移動及び移送ステーションと鋳造位置との間の移動を可能とするよう構成された鋳造ロールガイドと
からなる薄鋼ストリップ連続鋳造装置。
【請求項２】
鋳造ロールガイドが、ロールカセットに取付けられた鋳造ロールの、セットアップステーションと鋳造位置との間での移送ステーションを介した移動を可能にするレールからなり、第１レールがセットアップステーションと移送ステーションとの間を延び、第２レールが移送ステーションと鋳造位置との間を延び、第１及び第２レールの両方が移送ステーションのターンテーブル上のレールと相並び可能であることにより、ターンテーブルが回転することで、ロールカセットに取付けられた鋳造ロールを第１レール・第２レール間で交換できるようになっている、請求項１に記載の薄鋼ストリップ連続鋳造装置。
【請求項３】
第１及び第２レールが、ロールカセットに取付けられた鋳造ロールの、セットアップステーションから移送ステーションを介して鋳造位置へのほぼ同一高さでの移動を可能にするよう構成されている、請求項２に記載の薄鋼ストリップ連続鋳造装置。
【請求項４】
第１及び第２レールが、ロールカセットに取付けられた鋳造ロールの、セットアップステーションと移送ステーションとの間の移動を、移送ステーションから鋳造位置への移動とは異なる高さで可能とするよう構成されている、請求項２に記載の薄鋼ストリップ連続鋳造装置。
【請求項５】
オプションでロールカセットを備えた鋳造ロールが、鋳造位置にて鋳造作業位置へと移動される、請求項４に記載の薄鋼ストリップ連続鋳造装置。
【請求項６】
鋳造ロールガイドが、ロールカセットに取付けられた鋳造ロールの、セットアップステーションから移送ステーションを介して鋳造位置へのほぼ同一高さでの移動を可能にするよう構成されている、請求項１に記載の薄鋼ストリップ連続鋳造装置。
【請求項７】
鋳造ロールガイドが、ロールカセットに取付けられた鋳造ロールの、セットアップステーションと移送ステーションとの間の移動を、移送ステーションから鋳造位置への移動とは異なる高さで可能とするよう構成されている、請求項６に記載の薄鋼ストリップ連続鋳造装置。
【請求項８】
オプションでロールカセットを備えた鋳造ロールが、鋳造位置にて鋳造作業位置へと移動される、請求項７に記載の薄鋼ストリップ連続鋳造装置。
【請求項９】
ロールカセットが、
鋳造ロールの下方に位置決めされ鋳造位置にある鋳造ロールの直下の保護雰囲気を支持できるハウジング部と、
各鋳造ロールに隣接し且つハウジング部に隣接して位置決めされてハウジング部と回転鋳造ロールとの間の部分包囲部を形成するナイフシールと
から更になる、請求項１乃至８のいずれかに記載の薄鋼ストリップ連続鋳造装置。
【請求項１０】
（ｄ）鋳造位置にある鋳造ロールの下方に位置し、鋳造位置にある鋳造ロールの直下の保護雰囲気を支持できる包囲体と、鋳造位置にある鋳造ロールの下方に位置決めされることができてスクラップ容器ガイドにより鋳造位置から離反するいずれかの方向に排出ステーションへと移動可能である少なくとも１つのスクラップ容器から更になり、各スクラップ容器は包囲体に取付けられて鋳造位置にある鋳造ロールの直下の保護雰囲気を支持することができる、請求項１乃至９のいずれかに記載の薄鋼ストリップ連続鋳造装置。
【請求項１１】
スクラップ容器ガイドが鋳造位置から相反方向に延びるレールからなり、該レールはレールに沿って鋳造位置から排出ステーションへと移動可能である少なくとも２個のスクラップ容器を支持できる、請求項１０に記載の薄鋼ストリップ連続鋳造装置。
【請求項１２】
（ｄ）包囲体の下部に取付けられ、鋳造位置の下方に位置決めされたスクラップ容器の上部にシール係合できるリム部
から更になる、請求項１０に記載の薄鋼ストリップ連続鋳造装置。
【請求項１３】
包囲体内部に作動可能に位置決めされ、リム部がスクラップ容器から外された場合に包囲体の下部を閉じることのできる下板
から更になる、請求項１２に記載の薄鋼ストリップ連続鋳造装置。
【請求項１４】
下板が、枢支取付けされて閉じ位置と待避位置との間を移動する少なくとも部分からなり、
サーボ機構、流体圧機構、空気圧機構及び回転アクチュエータからなる群から選択される複数のアクチュエータが、下板を閉じ位置と待避位置との間で移動できる、
請求項１３に記載の薄鋼ストリップ連続鋳造装置。
【請求項１５】
加熱ステーションから鋳造位置へ移送されることができ、鋳造位置にあるときに溶融金属を受けて該溶融金属を分配器及びコアノズルを介し鋳造溜めへ移送することができる可動タンディッシュと、
可動タンディッシュの、可動タンディッシュが鋳造位置への作動温度に加熱されることのできる加熱ステーションからの移動を可能にするよう構成されたタンディッシュガイドと
から更になる、請求項１乃至１４のいずれかに記載の薄鋼ストリップ連続鋳造装置。
【請求項１６】
分配器を待機位置から鋳造位置へと移動させることができるローディング装置から更になり、ローディング装置の少なくとも一部が鋳造位置に位置決めされた分配器の高さの頭上にある、請求項１５に記載の薄鋼ストリップ連続鋳造装置。
【請求項１７】
可動タンディッシュと共にタンディッシュガイド上を移動可能な少なくとも１本のローディングアームを有し、分配器を待機位置から移動させて前記分配器を鋳造位置にある鋳造ロール上方に配置することのできるローディング装置から更になる、請求項１５に記載の薄鋼ストリップ連続鋳造装置。
【請求項１８】
タンディッシュガイドが、加熱ステーションと鋳造位置との間を延びるレールからなる、請求項１５乃至１７のいずれかに記載の薄鋼ストリップ連続鋳造装置。
【請求項１９】
可動タンディッシュがタンディッシュガイドを介し鋳造位置から離反するいずれかの方向に移動可能である、請求項１５乃至１８のいずれかに記載の薄鋼ストリップ連続鋳造装置。
【請求項２０】
横方向に位置決めされた鋳造表面を有して間に薄鋳造ストリップを鋳造できるロール間隙を形成し、該ロール間隙上方の鋳造表面で支持され得る溶融金属の鋳造溜めが形成できる、ロールカセットに取付けられた一対の相互方向に回転可能な鋳造ロールを有する薄鋼ストリップ連続鋳造装置において、
鋳造位置における鋳造ロール直下の保護雰囲気を支持できる包囲体と、
包囲体の上部を覆う閉じ位置と鋳造ストリップがロール間隙から下方に包囲体内部へと鋳造されるのを可能にする待避位置との間を移動可能な上カバーと
からなる、鋳造ロールの迅速な交換を提供する薄鋼ストリップ連続鋳造装置。
【請求項２１】
包囲体の上部に取付けられ、鋳造位置にある鋳造ロールの直下の保護雰囲気を支持する伸長位置と、上カバーの閉じ位置への移動を可能にする開放位置との間を移動可能な上カラー部と、
サーボ機構、流体圧機構、空気圧機構及び回転アクチュエータからなる群から選択され上カラーを伸長位置と開放位置との間で移動させることができる複数のアクチュエータと
から更になる、請求項２０に記載の薄鋼ストリップ連続鋳造装置。
【請求項２２】
ロールカセットが、
鋳造ロール下方に位置決めされ、鋳造位置にある鋳造ロールの直下の保護雰囲気を支持できるハウジング部と、
各鋳造ロールに隣接し且つハウジング部に隣接して位置決めされ、ハウジング部と回転鋳造ロールとの間の部分包囲部を形成するナイフシールと
から更になる、請求項２０又は請求項２１に記載の薄鋼ストリップ連続鋳造装置。
【請求項２３】
包囲体の下部に取付けられ、鋳造位置下方に位置決めされたスクラップ容器の上部にシール係合できるリム部から更になる、請求項２０乃至２２のいずれかに記載の薄鋼ストリップ連続鋳造装置。
【請求項２４】
包囲体内部に作動可能に位置決めされ、リム部がスクラップ容器から外された場合に包囲体の下部を閉じることのできる下板から更になる請求項２３に記載の薄鋼ストリップ連続鋳造装置。
【請求項２５】
下板が閉じ位置へと枢支移動でき、
サーボ機構、流体圧機構、空気圧機構及び回転アクチュエータからなる群から選択された複数のアクチュエータが下板を閉じ位置と待避位置との間で移動させることができる、請求項２４に記載の薄鋼ストリップ連続鋳造装置。
【請求項２６】
（ａ）横方向に位置決めされた鋳造表面を有して間に薄鋳造ストリップを鋳造できるロール間隙を形成し、該ロール間隙上方の鋳造表面で支持される溶融金属の鋳造溜めが形成できる、第１対の相互方向に回転可能な鋳造ロールを組立て、
（ｂ）セットアップステーションにてロールカセットに取付けられた第１鋳造ロールを鋳造用に用意し、
（ｃ）ロールカセットに取付けられた第１鋳造ロールを移送ステーションへ移動させ、
（ｄ）ロールカセットに取付けられた第１鋳造ロールを移送ステーションから、対の相互方向に回転可能な鋳造ロールが薄ストリップ鋳造用に位置決めされる鋳造位置へと移動させ、
（ｅ）ロールカセットに取付けられた第１鋳造ロールを移送ステーションにて第２ロールカセットに取付けられた第２鋳造ロールに交換し、
（ｆ）第２ロールカセットに取付けられた第２鋳造ロールを移送ステーションから第２鋳造ロールの交換ができるセットアップステーションに移動させる
という諸段階からなる薄鋼ストリップ連続鋳造方法。
【請求項２７】
ロールカセットに取付けられた第１及び第２鋳造ロールをレール上でセットアップステーションと鋳造位置との間を移動させ、第１レールがセットアップステーションと移送ステーションとの間を延び、第２レールが移送ステーションと鋳造位置との間を延び、第１及び第２レールが移送ステーションにてターンテーブル上をレールと相並びできることにより、ターンテーブルの回転でロールカセットに取付けられた鋳造ロールを第１レールと第２レールとの間で交換できるようになっていることから更になる、請求項２６に記載の薄鋼ストリップ連続鋳造方法。
【請求項２８】
ロールカセットに取付けられた第１及び第２鋳造ロールをセットアップステーションと移送ステーションとの間で、ロールカセットに取付けられた第１又は第２鋳造ロールの移送ステーションから鋳造位置への移動とは異なる高さで移動させることから更になる、請求項２７に記載の薄鋼ストリップ連続鋳造方法。
【請求項２９】
ロールカセットに取付けられた第１及び第２鋳造ロールをセットアップステーションと鋳造位置との間を移送ステーションを介しほぼ同一高さで移動させることから更になる、請求項２６に記載の薄鋼ストリップ連続鋳造方法。
【請求項３０】
オプションでロールカセットを備えた鋳造ロールを、鋳造位置にて鋳造作業位置へと配置することから更になる、請求項２７乃至２９のいずれかに記載の薄鋼ストリップ連続鋳造方法。
【請求項３１】
ロールカセットに取付けられた第１鋳造ロールを、セットアップステーションと鋳造位置との間を移送ステーションを介しほぼ同一高さで移動させることから更になる、請求項２６に記載の薄鋼ストリップ連続鋳造方法。
【請求項３２】
オプションでロールカセットを備えた鋳造ロールを鋳造位置で移動させて鋳造作業位置に配置することから更になる、請求項３１に記載の薄鋼ストリップ連続鋳造方法。
【請求項３３】
鋳造位置にある鋳造ロールの下方に位置し、鋳造位置にある鋳造ロールの直下の保護雰囲気を支持できる包囲体と、鋳造位置にある鋳造ロールの下方に位置決めされることができ、スクラップ容器ガイドにより鋳造位置から離反するいずれかの方向に排出ステーションへと移動可能である少なくとも１つのスクラップ容器を組立てることから更になり、スクラップ容器が包囲体に取付けられることができて鋳造位置にある鋳造ロール直下の保護雰囲気を支持できる、請求項２６乃至３２のいずれかに記載の薄鋼ストリップ連続鋳造方法。
【請求項３４】
レールを位置決めして鋳造位置から相反方向にスクラップ容器ガイドを形成することから更になり、レールが、該レールに沿って鋳造位置から離反する方向に排出ステーションへと移動可能な少なくとも２つのスクラップ容器を支持できる、請求項３３に記載の薄鋼ストリップ連続鋳造方法。
【請求項３５】
第２スクラップ容器をレールに沿って移動可能に提供し、
鋳造位置にある鋳造ロールの直下の保護雰囲気を更に支持できる包囲体の下部を閉じ
鋳造を止めることなく第１スクラップ容器を包囲体から外し、第１スクラップ容器をレールに沿って反第２スクラップ容器方向に排出ステーションへと移動させ、
第２スクラップ容器を鋳造位置へと移動させて包囲体に取付け、
包囲体の下部を開く
ことから更になる、請求項３４に記載の薄鋼ストリップ連続鋳造方法。
【請求項３６】
スクラップ容器の上部をシールして、包囲体とシール係合することで鋳造位置下方の保護雰囲気を支持することから更になる、請求項３３に記載の薄鋼ストリップ連続鋳造方法。
【請求項３７】
スクラップ容器が包囲体から外された場合に包囲体の下部を閉じてスクラップ容器交換時に所望に応じ鋳造が継続できるようにすることから更になる、請求項３３に記載の薄鋼ストリップ連続鋳造方法。
【請求項３８】
溶融金属を受けて分配器及びコアノズルを介し鋳造溜めへと移送できる可動タンディッシュを、ロールカセットに取付けられた第１鋳造ロールの移動の上方に持ち上げられたタンディッシュガイドにより、加熱ステーションから鋳造位置へと移動させることから更になる、請求項３３に記載の薄鋼ストリップ連続鋳造方法。
【請求項３９】
タンディッシュガイドが、加熱ステーションと鋳造位置との間を延びるレールからなる、請求項３８に記載の鋼ストリップ連続鋳造方法。
【請求項４０】
分配器を待機位置から持上げて前記分配器を鋳造位置にある鋳造ロールの上方に配置できる可動タンディッシュを備えたローディング装置を、ロールカセットに取付けられた第１鋳造ロールの移動の上方に持ち上げて提供し、 
可動タンディッシュを加熱ステーションから鋳造位置へと前進させ、
分配器を待機位置から持ち上げて前記分配器を鋳造位置にある鋳造ロール上方に配置させる
ことから更になる、請求項３８又は請求項３９に記載の鋼ストリップ連続鋳造方法。 
【請求項４１】
協働して分配器を待機位置から持上げて前記分配器を鋳造位置にある鋳造ロール上方に配置できる可動タンディッシュを備えた２本のローディングアームを、ロールカセットに取付けられた第１鋳造ロールの移動の上方に持上げて提供し、
可動タンディッシュを加熱ステーションから鋳造位置へと前進させ、
分配器を可動タンディッシュ下方の待機位置から持上げて前記分配器を鋳造位置にある鋳造ロールの上方に配置する
ことから更になる、請求項３８又は請求項３９に記載の鋼ストリップ連続鋳造方法。 
【請求項４２】
（ａ）レール鋳造位置の下方に位置決めされて相反方向に排出ステーションへと延びるレールを提供し、
（ｂ）該レールに沿って移動可能な第１及び第２スクラップ容器を支持し、
（ｃ）第１スクラップ容器と、鋳造位置にある鋳造ロールの下方に位置し、鋳造位置にある鋳造ロールの保護雰囲気を支持できる包囲体との間をシール係合して一対の鋳造ロール下方の保護雰囲気の支持を可能にし、
（ｄ）第１スクラップ容器と包囲体との間でシール解除して第１スクラップ容器をレールに沿って反第２スクラップ容器方向に排出ステーションへと移動させ、
（ｅ）第２スクラップ容器を鋳造位置へと移動させ、第２スクラップ容器と包囲体とをシール係合させる
という段階からなる、横方向に位置決めされた鋳造表面を有して間に薄鋳造ストリップを鋳造できるロール間隙を形成し、ロールカセットが前記ロール間隙上方の鋳造表面で支持される鋳造位置にあるときに溶融金属の鋳造溜めが形成できる、前記ロールカセットに取付けられた一対の相互方向に回転可能な鋳造ロールを用いた鋼ストリップ連続鋳造方法。
【請求項４３】
第２スクラップ容器を鋳造位置へと移動させる以前に第２スクラップ容器を所望のガスで満たすことから更になる、請求項４２に記載の鋼ストリップ連続鋳造方法。
【請求項４４】
（ｆ）ロールカセットに取付けられた第１対の相互方向に回転可能な鋳造ロールをセットアップステーションで鋳造用に準備し、
（ｇ） ロールカセットに取付けられた第１鋳造ロールをセットアップステーションから移送ステーションへと移動させ、
（ｈ）ロールカセットに取付けられた第１鋳造ロールを移送ステーションにて、第２ロールカセットに取付けられた第２鋳造ロールと交換し、
（ｉ）ロールカセットに取付けられた第１鋳造ロールを移送ステーションから、第１対の相互方向に回転可能な鋳造ロールが薄ストリップ鋳造用に位置決めされる鋳造位置へと移動させ、
（ｊ）第２ロールカセットに取付けられた第２鋳造ロールを移送ステーションから、第２鋳造ロールの交換ができるセットアップステーションに移動させる
ことから更になる、請求項４２又は請求項４３に記載の鋼ストリップ連続鋳造方法。
【請求項４５】
（ｋ）溶融金属を受けて分配器及びコアノズルを介し鋳造溜めへと移送できる可動タンディッシュを、ロールカセットに取付けられた第１及び第２鋳造ロールの移送ステーションから鋳造位置への移動の上方に持ち上げられたタンディッシュガイドにより、加熱ステーションから鋳造位置へ移動させる
ことから更になる、請求項４４に記載の鋼ストリップ連続鋳造方法。
【請求項４６】
（ｌ）分配器を待機位置から持上げて前記分配器を鋳造位置にある鋳造ロールの上方に配置できる可動タンディッシュを備えたローディング装置を、第１及び第２鋳造ロールの移動の上方に持ち上げて提供し、
（ｍ）可動タンディッシュを加熱ステーションから鋳造位置へと前進させ、
（ｎ）分配器を待機位置から移動させて前記分配器を鋳造位置にある鋳造ロールの上方に配置する
ことから更になる請求項４５に記載の鋼ストリップ連続鋳造方法。
【請求項４７】
（ｌ）協働で分配器を待機位置から移動させ前記分配器を鋳造位置にある鋳造ロール上方に配置できる可動タンディッシュを備えた２つのローディングアームを、ロールカセットに取付けられた第１及び第２鋳造ロールの移動の上方に持上げて提供し、
（ｍ）可動タンディッシュを加熱ステーションから鋳造位置へと前進させ、
（ｎ）分配器を可動タンディッシ下方の待機位置から動かして前記分配器を鋳造位置にある鋳造ロールの上方に配置する
ことから更になる、請求項４５に記載の鋼ストリップ連続鋳造方法。
【請求項４８】
（ｆ）溶融金属を受けて分配器及びコアノズルを介し鋳造溜めへと移送できる可動タンディッシュを、鋳造位置にある鋳造ロールの上方に持上げられたタンディッシュガイドにより、加熱ステーションから鋳造位置へ移動させる
ことから更になる、請求項４２に記載の鋼ストリップ連続鋳造方法。
【請求項４９】
タンディッシュガイドが鋳造位置から相反方向に加熱ステーションへと延びるレールからなる、請求項４７に記載の鋼ストリップ連続鋳造方法。 
【請求項５０】
（ｏ）溶融金属を受けて分配器及びコアノズルを介し鋳造溜めへと移送できる第２可動タンディッシュを一方の加熱ステーションで準備し、
（ｐ）第１可動タンディッシュを鋳造位置からレールに沿って反第２可動タンディッシュ方向にもう一つの加熱ステーションへと移動させ、
（ｑ）第２可動タンディッシュをレールに沿って鋳造位置へと移動させる
ことから更になる、請求項４９に記載の鋼ストリップ連続鋳造方法。
【請求項５１】
横方向に位置決めされた鋳造表面を有して間に薄鋳造ストリップを鋳造できるロール間隙を形成し、該ロール間隙上方の鋳造表面で支持され得る溶融金属の鋳造溜めが形成できる、ロールカセットに取付けられた一対の相互方向に回転可能な鋳造ロールを用いた鋼ストリップ連続鋳造方法において、
（ａ）鋳造位置にある鋳造ロールの直下の保護雰囲気を支持できると共に、待避位置と包囲体の上部を覆うことのできる閉じ位置との間を移動可能な上カバーを有する包囲体を提供し、 
（ｂ）上カバーを待避位置へと移動させて、鋳造ストリップがロール間隙から下方に包囲体内部へと鋳造されるのを可能にし、
（ｃ）上カバーを閉じ位置へと移動させて、包囲体内部の保護雰囲気を保持しつつ鋳造ロールの鋳造位置からの取外しを可能とする
という段階からなる鋳造ロールの迅速な交換を提供する鋼ストリップ連続鋳造方法。
【請求項５２】
鋳造ロール下部に隣接して上カラー部を係合させて鋳造ロール下方の包囲体内部の保護雰囲気を支持する段階から更になる、請求項５１に記載の鋼ストリップ連続鋳造方法。
【請求項５３】
スクラップ容器と包囲体との間にシールを掛けて鋳造ロール下方で包囲体内部の保護雰囲気を支持するという段階から更になる、請求項５１又は請求項５２に記載の鋼ストリップ連続鋳造方法。
【請求項５４】
シールがスクラップ容器から外される場合に包囲体下部を閉じることにより、所望に応じてスクラップ容器を交換する間に鋳造が継続できるようにすることから更になる、請求項５３に記載の鋼ストリップ連続鋳造方法。
【発明の詳細な説明】
【技術分野】
【０００１】
本発明は双ロール鋳造機での連続鋳造による金属ストリップの鋳造に関する。
【背景技術】
【０００２】
双ロール鋳造機では、溶融金属が相互方向に回転する一対の冷却水平鋳造ロール間に導入されるので、移動するロール表面上に金属殻が凝固してロール間のロール間隙で合わせられて凝固ストリップ品を生み出し、ロール間のロール間隙から下方に送給される。「ロール間隙」という用語は本明細書ではロール同士が最も接近する領域全般を指すのに用いられる。溶融金属は取鍋から１つ又は一連の小容器へと注がれ、そこからロール間隙の上方に位置した金属送給ノズルを介して流れ、ロール間隙直上のロール鋳造表面に支持されてロール間隙長さ方向に延びる溶融金属鋳造溜めを形成する。通常、この鋳造溜めは側部プレート又は側部堰間に画成され、該側部プレート又は側部堰はロール端面に摺動係合保持されて鋳造溜めの両端から溢流しないよう堰止めている。
【０００３】
更に、双ロール鋳造機は一連の取鍋を介し溶鋼から鋳造ストリップを連続的に製造することができる。取鍋から小容器へと溶融金属を注いだ後に金属送給ノズルに流すことにより、鋳造ストリップの製造を乱すことなく空の取鍋と満杯の取鍋との交換ができる。
【先行技術文献】
【特許文献】
【０００４】
【特許文献１】アメリカ特許第７，０７３，５６５号
【発明の概要】
【発明が解決しようとする課題】
【０００５】
鋳造機には操業中の保守が必要な部分がある。寿命の続く限り操業した鋳造ロールのテクスチャ(texture)は消失して有効でなくなったりその他の悪条件が生じたりして、鋳造ロール表面の熱伝達が増減する可能性がある。この場合、溶融金属流を中断し、鋳造ロールを新しい又は調整し直した対の鋳造ロールと交換することができる。鋳造ロール交換の場合、金属送給システムの他の部分も交換し得る。又、鋳造機下方に配置したスクラップ容器が鋳造機の操業中に満杯になることがあり、満杯になったら、満杯のスクラップ容器を排除し空のスクラップ容器に交換することができる。これらやその他のアイテムの交換に掛かる時間が交換時間として積み重なってしまい、交換時間の少なくとも一部では双ロール鋳造機での金属鋳造が中断されるので、交換時間を減らすことが望まれている。
【課題を解決するための手段】
【０００６】
（ａ）横方向に位置決めされた鋳造表面を有して間に薄鋳造ストリップを鋳造できるロール間隙を形成し、該ロール間隙上方の鋳造表面で支持され得る溶融金属の鋳造溜めが形成できる、一対の相互方向に回転可能な鋳造ロールと、
（ｂ）ロールカセットに取付けられた前記鋳造ロールであって、セットアップステーションでは、ロールカセットに取付けられた鋳造ロールが鋳造用に準備可能であり、移送ステーションでは鋳造ロールを取付けたロールカセットが交換可能であり、鋳造位置ではロールカセットに取付けられた鋳造ロールが鋳造機内で作動可能である、セットアップステーションから移送ステーションを介し鋳造位置へと移送可能な鋳造ロールと、
（ｃ）ロールカセットに取付けられた鋳造ロールの、セットアップステーションと移送ステーションとの間の移動及び移送ステーションと鋳造位置との間の移動を可能とするよう構成された鋳造ロールガイドと
からなる薄鋼ストリップ連続鋳造装置が開示される。
【０００７】
鋳造ロールガイドは、ロールカセットに取付けられた鋳造ロールの、セットアップステーションから移送ステーションを介して鋳造位置へのほぼ同一高さでの移動を可能にするよう構成できる。若しくは又は加えて、第１及び第２レールは、ロールカセットに取付けられた鋳造ロールの、セットアップステーションと移送ステーションとの間の移動を、移送ステーションから鋳造位置への移動とは異なる高さで可能とするよう構成できる。
【０００８】
鋳造ロールガイドは、ロールカセットに取付けられた鋳造ロールの、セットアップステーションと鋳造位置との間での移送ステーションを介した移動を可能にするレールからなることができる。第１レールがセットアップステーションと移送ステーションとの間を延び、第２レールが移送ステーションと鋳造位置との間を延び、第１及び第２レールの両方が移送ステーションのターンテーブル上のレールと相並び可能であることにより、ターンテーブルが回転することで、ロールカセットに取付けられた鋳造ロールを第１レール・第２レール間で交換できるようになっている。第１及び第２レールは、ロールカセットに取付けられた鋳造ロールをセットアップステーションから鋳造位置へと移送ステーションを介しほぼ同じ高さで又は異なる高さで移動できるよう構成できる。
【０００９】
鋳造位置で、鋳造ロールは薄ストリップ鋳造作業位置へと動かされる。この作業位置へと鋳造ロールを動かすのは、鋳造ロールを昇降又は横移動させることにより行うことができる。鋳造ロールのこの作業位置への移動は鋳造ロールとロールカセットの一体移動によるもの、若しくは少なくともロールカセットの一部とは別個に鋳造ロールを移動させることによるものであってよい。この移動は一般には所望される特定の実施例次第であるが、鋳造ロールを作業位置に位置決めする動きと時間を減らすために移動は一般にはできるだけ小さくする。作業位置は鋳造ロールが高さを変えずに又は横移動することなく鋳造位置に到達するところであってよい。
【００１０】
薄鋼ストリップ連続鋳造装置は、鋳造位置にある鋳造ロールの直下の保護雰囲気を支持できる包囲体と、包囲体の上部を覆う閉じ位置と鋳造ストリップをロール間隙から下方に包囲体内部へと鋳造できる待避位置との間で移動できる上カバーとを含むことができる。一対のレール等のガイドは、上カバーの閉じ位置と待避位置との間の移動を可能にするよう設けることができる。複数のアクチュエータは、サーボ機構、流体圧機構、空気圧機構、回転アクチュエータからなる群から選択でき、上カバーをガイドに沿って閉じ位置と待避位置との間で動かすことができる。
【００１１】
装置は上カラー部を含むことができ、該上カラー部は、鋳造位置にある鋳造ロールの直下の保護雰囲気を支持するシール係合した伸長位置と、上カバーを閉じ位置へと移動させることができる開放位置との間で移動可能である。上カラー部を伸長位置と開放位置との間で移動させることができる、サーボ機構、流体圧機構、空気圧機構及び回転アクチュエータからなる群から選択された複数のアクチュエータが設けられる。
【００１２】
加えて、ハウジング部が鋳造ロールに隣接して位置決めされることができ、鋳造位置にある鋳造ロールの直下の保護雰囲気を支持でき、ナイフシールが各鋳造ロールに隣接し且つハウジング部に隣接して位置決めされ、ハウジング部と回転する鋳造ロールとの間の部分包囲部を形成する。
【００１３】
鋼ストリップを連続鋳造する装置は、鋳造位置にある鋳造ロールの下方に位置決めされることができてスクラップ容器ガイド上を鋳造位置から離反するいずれかの方向に排出ステーションへと移動可能である少なくとも１つのスクラップ容器から更になることができ、各スクラップ容器は包囲体に取付けられることができ、鋳造位置にある鋳造ロールの直下の保護雰囲気を支持できる。スクラップ容器ガイドは鋳造位置から相反方向に延びるレールからなることができ、該レールは鋳造位置から排出ステーションへとレールに沿って移動可能な少なくとも２つのスクラップ容器を支持できる。
【００１４】
更に、鋼ストリップ連続鋳造装置はリム部を含むことができ、該リム部は鋳造位置の下方に位置決めされたスクラップ容器の上部とシール係合できる。装置は更に下板を含むことができ、該下板は包囲体内に作動可能に位置決めされて、リム部がスクラップ容器から外された時に包囲体の下部を閉じることができる。下板は、枢支取付けされて閉じ位置へと動く２つの部分を有することができる。サーボ機構、流体圧機構、空気圧機構、回転アクチュエータからなる群から選択された複数のアクチュエータは、下板を閉じ位置と待避位置との間で移動させることができる。
【００１５】
薄鋼ストリップ連続鋳造装置は更に、
（ｄ）加熱ステーションから鋳造位置へと移送されることができ、鋳造位置にある時に溶融金属を受けて該溶融金属を分配器及びコアノズルを介し鋳造溜めへと移送することができる可動タンディッシュと、
（ｅ）可動タンディッシュを作動温度に加熱できる加熱ステーションから鋳造位置へと可動タンディッシュの移動を可能にするよう構成されたタンディッシュガイド
とからなることができる。
【００１６】
タンディッシュガイドは加熱ステーションと鋳造位置との間に延びるレールからなることができる。更に、可動タンディッシュは鋳造位置から離反するいずれかの方向にタンディッシュガイドを介し移動可能とすることができる。
【００１７】
加えて、分配器を待機位置から鋳造位置へと移動させることができるローディング装置を設けることができ、ローディング装置の少なくとも一部は鋳造位置に位置決めされた分配器の高さより頭上とすることができる。ローディング装置は、タンディッシュガイド上を可動タンディッシュと共に移動可能で、分配器を待機位置から持上げ該分配器を鋳造位置にある鋳造ロール上方に配置できるローディングアームであってよい。
【００１８】
鋼ストリップ連続鋳造方法が開示され、該鋼ストリップ連続鋳造方法は、
（ａ）横方向に位置決めされた鋳造表面を有して間に薄鋳造ストリップを鋳造できるロール間隙を形成し、該ロール間隙上方に鋳造表面に支持される溶融金属鋳造溜めが形成される、第１対の相互方向に回転可能な鋳造ロールを組立て、
（ｂ）ロールカセットに取付けられた第１鋳造ロールをセットアップステーションにて鋳造用に準備し、
（ｃ）ロールカセットに取付けられた第１鋳造ロールを移送ステーションに移動させ、
（ｄ）ロールカセットに取付けられた第１鋳造ロールを移送ステーションから、対の相互方向に回転可能な鋳造ロールが薄ストリップ鋳造用に位置決めされる鋳造位置へと移動させる、
という諸段階からなる。
【００１９】
鋼ストリップ連続鋳造方法は、
（ｅ）移送ステーションで、ロールカセットに取付けられた第１鋳造ロールを第２ロールカセットに取付けられた第２鋳造ロールと交換し、
（ｆ）第２ロールカセットに取付けられた第２鋳造ロールを移送ステーションから、第２鋳造ロールの交換（即ち、配置、修理又は磨き直し）ができるセットアップステーションへと移動させる、
という諸段階から更になることができる。
【００２０】
鋼ストリップ連続鋳造方法において、鋳造ロールが取付けられた第１ロールカセット及び第２ロールカセットの、セットアップステーションと鋳造位置との間の移動はレール上で行うことができ、第１レールがセットアップステーションと移送ステーションとの間を延び、第２レールが移送ステーションと鋳造位置との間を延びる。第１及び第２レールは移送ステーションでターンテーブル上のレールと相並びできるようになっていることにより、ターンテーブルを回転させてロールカセットに取付けられた鋳造ロールの交換が第１組のレールと第２組のレールとの間でできるようになっている。ロールカセットに取付けられた第１及び第２鋳造ロールはセットアップステーションと鋳造位置との間を移送ステーションを介しほぼ同じ高さで又は異なる高さで移動させることができる。
【００２１】
横方向に位置決めされた鋳造表面を有して間に薄鋳造ストリップを鋳造できるロール間隙を形成し、該ロール間隙上方の鋳造表面で支持され得る溶融金属の鋳造溜めが形成できる、ロールカセットに取付けられた一対の相互方向に回転可能な鋳造ロールを用いた、鋼ストリップ連続鋳造方法が開示され、鋳造ロールの迅速な交換を提供するその改良は、
（ａ）鋳造位置にある鋳造ロールの直下の保護雰囲気を支持できると共に、待避位置と鋳造ロール下方で包囲体を覆うことのできる閉じ位置との間を移動可能な上カバーを有する包囲体を提供し、
（ｂ）上カバーを待避位置へと移動させて、鋳造ストリップがロール間隙から下方に包囲体内部へと鋳造できるようにし、
（ｃ）上カバーを閉じ位置へと移動させて、包囲体内部の保護雰囲気を保持しつつ鋳造ロールの鋳造位置からの取外しを可能にする
という諸段階からなる。
【００２２】
鋼ストリップ連続鋳造方法は、鋳造位置にある鋳造ロールと包囲体の下方に位置決めされることができてスクラップ容器ガイドにより鋳造位置から離反するいずれかの方向に排出ステーションへと移動可能である少なくとも１つのスクラップ容器を配置することから更になることができ、各スクラップ容器は包囲体に取付けられることができて鋳造位置にある鋳造ロールの直下の保護雰囲気を支持できる。
【００２３】
方法は、鋳造ロールに隣接して上カラー部を係合させて鋳造ロール下方の包囲体内部の保護雰囲気を支持し、上カラー部を外して上カバーを閉じ位置へと移動させるのを可能にすることを含むことができる。方法は又、スクラップ容器と包囲体との間にシールを掛けて鋳造ロール下方の包囲体の保護雰囲気を支持することを含むことができる。加えて、方法は、シールがスクラップ容器から外される際に、所望ならば、包囲体の下部を閉じてスクラップ容器交換時の鋳造継続を可能にする段階を含むことができる。
【００２４】
鋼ストリップ連続鋳造方法は、レールを位置決めして鋳造位置から相反方向にスクラップ容器ガイドを形成することも含むことができ、該レールは鋳造機から離反した排出ステーションへと、レールに沿って鋳造位置から移動可能な少なくとも２個のスクラップ容器を支持できる。鋼ストリップ連続鋳造方法は、スクラップ容器の上部をシールして包囲体とのシール係合で鋳造位置下方の保護雰囲気を支持することを含むことができる。
【００２５】
鋼ストリップ連続鋳造方法は加えて、溶融金属を受けて該溶融金属を分配器及びコアノズルを介し鋳造溜めへと移送できる可動タンディッシュを、ロールカセットに取付けられた第１鋳造ロールの加熱ステーションから鋳造位置への移動よりも上方に高められたタンディッシュガイドを介し、加熱ステーションから鋳造位置へと移動させることからなることができる。
【００２６】
ガイドは、加熱ステーションと鋳造位置との間を延びるレールからなることができる。
【００２７】
鋼ストリップ連続鋳造方法は、分配器を待機位置から移動させて前記分配器を鋳造位置にある鋳造ロール上方に配置できる、可動タンディッシュを備えたローディング装置を、ロールカセットに取付けられた第１鋳造ロールの移動よりも上方に高めて提供し、可動タンディッシュを加熱ステーションから鋳造位置へと前進させ、分配器を待機位置から移動させて前記分配器を鋳造位置にある鋳造ロール上方に配置することを含むことができる。
【００２８】
若しくは、鋼ストリップ連続鋳造方法は、
（ａ）鋳造位置の下方に位置決めされて相反方向に排出ステーションへと延びるレールを提供し、
（ｂ）レールに沿って移動可能な第１及び第２スクラップ容器を支持し、
（ｃ）第１スクラップ容器を包囲体とシール係合させて、一対の鋳造ロール下方の保護雰囲気を支持することを可能にし、
（ｄ）第１スクラップ容器と包囲体との間のシールを解除し、第１スクラップ容器をレールに沿って反第２スクラップ容器方向に排出ステーションへと移動させ、
（ｅ）第２スクラップ容器を鋳造位置へと移動させ、第２スクラップ容器を包囲体とシール係合させる
という諸段階からなることができる。
【００２９】
方法は、第２スクラップ容器に所望の保護ガスを満たしてから第２スクラップ容器を鋳造位置へと移動させることを含むことができる。
【００３０】
鋼ストリップ連続鋳造方法は、
（ｆ）ロールカセットに取付けられた第１鋳造ロールをセットアップステーションで鋳造用に準備し、 
（ｇ）ロールカセットに取付けられた第１鋳造ロールをセットアップステーションから移送ステーションへと移動させ、 
（ｈ）ロールカセットに取付けられた第１鋳造ロールを移送ステーションで、第２ロールカセットに取付けられた第２鋳造ロールと交換し、
（ｉ）ロールカセットに取付けられた第１鋳造ロールを移送ステーションから、第１対の相互方向に回転可能な鋳造ロールが薄ストリップ鋳造用に位置決めされる鋳造位置へと移動させ、
（ｊ）第２ロールカセットに取付けられた第２鋳造ロールを移送ステーションから、第２鋳造ロールを交換できるセットアップステーションへと移動させる
ことから更になることができる。
【００３１】
薄鋼ストリップ連続鋳造方法は、加えて、溶融金属を受けて該溶融金属を分配器及びコアノズルを介し鋳造溜めへと移送できる可動タンディッシュを、ロールカセットに取付けられた第１及び第２鋳造ロールの移送ステーションから鋳造位置への移動よりも上方に高められたタンディッシュガイドにより、加熱ステーションから鋳造位置へと移動させることからなることができる。
【００３２】
タンディッシュガイドは加熱ステーションと鋳造位置との間に延びるレールからなることができる。方法は更に、分配器を待機位置から移動させて前記分配器を鋳造位置にある鋳造ロール上方に配置できる、可動タンディッシュを備えたローディング装置を、第１及び第２鋳造ロールの移動よりも上方へと高めて提供し、可動タンディッシュを加熱ステーションから鋳造位置へと前進させ、分配器を待機位置から位置決めして前記分配器を鋳造位置にある鋳造ロール上方に配置することを含むことができる。
【図面の簡単な説明】
【００３３】
【図１】本開示の双ロール鋳造機の概略側面図である。
【図２】図１の双ロール鋳造機の概略平面図である。
【図３】本開示のロールカセットに取付けられた鋳造ロールの、鋳造位置での部分断面図である。
【図４】図１の双ロール鋳造機の包囲体の部分断面図である。
【図５】鋳造機から取外した図３のロールカセットの概略平面図である。
【図６】鋳造機から取外した図３のロールカセットに取付けられた鋳造ロールの概略側面図である。
【図７】図３のロールカセットに取付けられた鋳造ロールの、鋳造位置での概略端面図である。
【図８】本開示の鋳造ロール移送ステーション及びセットアップステーションの概略平面図である。
【図９】スクラップ容器ガイドの概略平面図である。
【図１０】スクラップ容器ガイド及びスクラップ容器の概略部分側面図である。
【図１１】本開示の可動タンディッシュの概略側面図である。
【図１２】図１１の可動タンディッシュの概略端面図である。
【図１３】図１１の可動タンディッシュの概略平面図である。
【図１４】分配器シフトカーを備えて鋳造位置にある、ロールカセットに取付けられた鋳造ロールの概略平面図である。
【図１５】図７の待避位置にある本開示の第１位置決めアセンブリの断面図である。
【図１６】図３の伸長位置にある図１５の位置決めアセンブリの断面図である。
【図１７】図７の待避位置にある第２位置決めアセンブリの断面図である。
【発明を実施するための形態】
【００３４】
図１〜図７に関し、例示した双ロール鋳造機を構成する主機械フレーム１０は工場床から立上がり、ロールカセット１１にモジュール取付けされた(mounted in a module)一対の鋳造ロールを支持する。鋳造ロール１２をロールカセット１１に取付けるのは以下で述べるように操作及び移動を容易にするためである。ロールカセットにより、鋳造に備えた鋳造ロールを一体としてセットアップ位置から鋳造機の鋳造作業位置へと迅速移動させるのが助長され、鋳造ロールを交換すべき時には鋳造ロールを鋳造位置から容易に除去できる。ロールカセットは、特に望ましい構成はなく、本明細書で述べているように鋳造ロールの移動及び位置決めを助長する機能を果たすものであればよい。
【００３５】
薄鋼ストリップ連続鋳造装置は、横方向に位置決めされる鋳造表面１２Ａを有して間にロール間隙１８を形成する一対の相互方向に回転可能な鋳造ロール１２を含む。溶融金属は取鍋１３から金属送給システムを介し、鋳造ロール１２間のロール間隙１８上方に位置決めされた金属送給ノズル１７、即ちコアノズルに供給される。斯くして送給された溶融金属は、ロール間隙上方で鋳造ロール１２の鋳造表面１２Ａ上に支持された溶融金属の鋳造溜め１９を形成する。この鋳造溜め１９を鋳造領域において鋳造ロール１２の両端にて囲むのが一対の側部閉止体、即ち側部堰板２０である（図３に点線で示す）。（一般に「メニスカス」レベルと呼ばれる）鋳造溜め１９上面が送給ノズル１７下端よりも上に上がることにより送給ノズル下端が鋳造溜め内に浸漬してもよい。鋳造領域は、鋳造領域で溶融金属の酸化を抑制する、鋳造溜め１９上方の保護雰囲気を追加で含む。
【００３６】
通常、取鍋１３は回転タレット４０上に支持されるタイプの従来構成のものである。金属送給のために、取鍋１３は鋳造位置での可動タンディッシュ１４上方に位置決めされ、タンディッシュを溶融金属で満たす。可動タンディッシュ１４はタンディッシュカー６６上に位置決めでき、該タンディッシュカー６６はタンディッシュを鋳造温度付近に加熱する加熱ステーション６９から鋳造位置へと移送できる。タンディッシュガイド７０はタンディッシュカー６６の下に位置決めされ、可動タンディッシュ１４の加熱ステーション６９から鋳造位置への移動を可能にする。
【００３７】
図１１〜図１３に示すように、タンディッシュカー６６はフレーム７１を含むことができ、該フレーム７１はタンディッシュ１４の各側でタンディッシュアーム７５と係合するタンディッシュ支持梁７２を有する。タンディッシュ支持梁７２はリフタ７３，７４間に位置決めでき、該リフタ７３，７４はフレーム７１に対しタンディッシュ支持梁７２及びタンディッシュ１４を昇降させて、該タンディッシュ１４をタンディッシュカー６６上に位置決めできる。
【００３８】
タンディッシュガイドは、加熱ステーションと鋳造位置との間を延びるレール７６を含むことができ、タンディッシュカー６６は、組立てられてレール７６上を移動するホイール７７を含むことができる。１つ又は複数の駆動モータ７９を使い、ホイール７７をレールに沿って駆動できる。図２に示すように、レール７６は鋳造位置から相反方向に離反した２つの加熱ステーション６９間を延びることができ、２台のタンディッシュカー６６を支持できるので、１つのタンディッシュカーを加熱ステーション６９の一方に、もう１つのタンディッシュカーを鋳造位置に配することができる。鋳造停止後、鋳造位置にあるタンディッシュ１４を第１タンディッシュカーに乗せて反第２タンディッシュカー方向に、対応する加熱ステーションへと動かすことができる。通常、タンディッシュカーは鋳造位置と加熱ステーションとの間を、ロールカセット１１内に取付けられた鋳造ロール１２より上方の高さで動き、タンディッシュガイド７０の少なくとも一部は、タンディッシュを加熱ステーションと鋳造位置との間で移動させるためにロールカセット１１に取付けた鋳造ロール１２の高さの頭上とすることができる。
【００３９】
サーボ機構により作動可能なスライドゲート２５を可動タンディッシュ１４に取付け、溶融金属をタンディッシュ１４からスライドゲート２５、更には耐火出口シュラウド１５を介して鋳造位置にある遷移ピース、即ち分配器１６へと流すことができる。溶融金属は分配器１６から、鋳造ロール１２間のロール間隙１８上方に位置決めされた送給ノズル１７へと流れる。
【００４０】
鋳造ロール１２は内部が水冷されているので、相互方向に回転される鋳造ロール１２の各回転毎に鋳造表面１２Ａが鋳造溜め１９に入り且つ通過するにつれて殻が鋳造表面上に凝固する。殻が鋳造ロール間のロール間隙１８にて合わされて凝固薄鋳造ストリップ品２１を生み出し、それがロール間隙から下方に送給される。図１に示す双ロール鋳造機が生み出す薄鋳造ストリップ２１は、ガイドテーブル３０を通り、ピンチロール３１Ａから成るピンチロールスタンド３１に至る。ピンチロールスタンド３１を出た薄鋳造ストリップは、一対の圧下ロール３２Ａ及びバックアップロール３２Ｂから成る熱間圧延機３２を通って熱間圧延されて所望厚に減らされることで、ストリップ表面を改良し、ストリップ平坦度を改良することができる。圧延されたストリップは次いでランアウトテーブル３３を通り、図示しない水ジェット等の適宜手段を介し供給される水との接触、対流や輻射により冷却されることができる。いずれにしろ、圧延されたストリップは次いで第２ピンチロールスタンド（図示せず）を通って張力を掛けられてから、コイラに至る。
【００４１】
鋳造作業開始時点では、短い長さの不完全ストリップが通常は鋳造条件が安定化するにつれて造られる。連続鋳造が確立されたら、鋳造ロールはわずかに引離されてから再び合わせられることにより、このストリップ先端が破断されて後続の鋳造ストリップのきれいな頭端を形成する。不完全な材料は、スクラップ容器ガイド上を移動可能なスクラップ容器２６に落下する。スクラップ容器２６は鋳造機下方のスクラップ受領位置に位置決めされ、以下で述べるようにシールされた包囲体２７の一部を形成する。包囲体２７は普通、水冷される。このとき、通常はピボット２９から包囲体２７の片側に垂下している水冷されたエプロン２８が所定位置へ旋回され、鋳造ストリップ２１のきれいな端をガイドテーブル３０上へとガイドし、ガイドテーブルはそれをピンチロールスタンド３１へと送給する。次いで、エプロン２８は垂下位置へと戻されるので、鋳造ストリップ２１は鋳造ロール下方で包囲体２７内にループ状に垂下してからガイドテーブル３０へ至り、一連のガイドローラと係わり合する。
【００４２】
溢流コンテナ３８は可動タンディッシュ１４の下方に設けられ、タンディッシュからこぼれた溶融材料を受けることができる。図１及び図２に示すように、溢流コンテナ３８はレール３９その他のガイド上を移動可能であって、鋳造位置において溢流コンテナ３８を所望通り可動タンディッシュ１４下方に配置できるようになっている。加えて、溢流コンテナをひとつ、分配器１６用に分配器に隣接配置することもできる（図示せず）。
【００４３】
シールされる包囲体２７を形成するのは複数の別々の壁で、それらを種々のシール接続でつなぎ合わせ、包囲体内部の雰囲気制御を可能にする連続する包囲体壁を形成する。加えて、スクラップ容器２６を包囲体２７に取付可能とすることにより、包囲体は鋳造位置にある鋳造ロール１２の直下の保護雰囲気を支持することが可能である。包囲体２７は包囲体の下部、即ち包囲体下部４４に開口を含み、スクラップが包囲体２７を通りスクラップ受領位置にあるスクラップ容器２６へ至る出口を提供する。包囲体下部４４は包囲体２７の一部として下方に延びることができ、開口はスクラップ受領位置にあるスクラップ容器２６の上方に位置決めされる。スクラップ容器２６、包囲体２７に関し本明細書及び請求項で使われているような「シール」(seal)、「シールされる」(sealed)、「シールする」(sealing)、「シールするように」(sealingly)及び関連する特徴は、漏れを防ぐ完全なシールではなく、漏れを幾分許容できて所望通りに包囲体内部の雰囲気を制御・支持できるのに適切な通常は完全未満のシールであってよい。
【００４４】
リム部４５は包囲体下部４４の開口を囲むことができ、スクラップ容器の上方に移動可能に位置決めでき、スクラップ受領位置にあるスクラップ容器２６にシール係合及び／又は取付け可能である。リム部４５は、例示では矩形であるスクラップ容器２６上縁を選んで係合する(in selective engagement)ので、スクラップ容器は包囲体２７とシール係合できる。図１及び図１０に示すように、リム部は離反可能である等してスクラップ容器から離脱してシールを解き、スクラップ容器をスクラップ受領位置から移動可能とする。リム部４５は、リム部４５がスクラップ容器と係合するシール位置とスクラップ容器から解除される解除位置との間を移動可能である。若しくは、鋳造機又はスクラップ容器はリフト機構を含むことができ、スクラップ容器を持上げることで包囲体のリム部４５とシール係合させ、降ろすことでスクラップ容器を解除位置にもたらすことができる。
【００４５】
下板４６を包囲体下部４４内部に又は包囲体下部４４に隣接して作動可能に位置決めすることで、スクラップ容器２６をスクラップ受領位置から移す場合に、包囲体内部の雰囲気を更に制御でき、新しいスクラップ容器に交換しつつ鋳造を続ける機会を提供する。下板４６を包囲体２７内部に作動可能に位置決めすることで、リム部４５をスクラップ容器から外す場合に、包囲体の下部、即ち包囲体下部４４の開口を閉じることができる。次いで、リム部４５がスクラップ容器とシール係合する場合には下板４６を待避させ、スクラップ材料を包囲体２７を介してスクラップ容器２６へと通すことが可能となる。図１及び図４に示すように、下板４６は、２枚の板部分で構成し、枢支取付けすることで、待避位置と閉じ位置との間を移動可能である。若しくは、下板４６は１枚の移動可能な板部分であってもよい。サーボ機構、流体圧機構、空気圧機構及び回転アクチュエータ等の複数のアクチュエータ（図示せず）を包囲体２７の外部に適宜位置決めし、下板がどのような構成であれ下板を閉じ位置と待避位置との間で動かすことができる。複数のアクチュエータは下板４６をピボットを中心に旋回させるために設けることができる。若しくは、下板４６を１つ又は複数のレール等のガイドに沿って横方向に移動可能とし、包囲体下部４４を閉じる閉じ位置と、スクラップ材料を包囲体２７を経てスクラップ容器２６へと下方に通すことができる待避位置との間を移動できるようにしてもよい。
【００４６】
図１０に示すように、スクラップ容器を鋳造位置下方のスクラップ受領位置に配置し、鋳造時の鋳造工程でのスクラップその他の副産物を容器に受ける。スクラップ容器２６がスクラップ受領位置にあるとき、包囲体壁のリム部４５がスクラップ容器２６の上縁とシール係合し、下板４６は待避される。リム部４５はスクラップ容器２６の一部と係合して、包囲体２７とシール係合する。シールする場合、包囲体２７とスクラップ容器２６を窒素等の所望のガスで満たして包囲体の酸素量を減らし、鋳造ストリップの保護雰囲気を提供する。
【００４７】
包囲体２７は上カラー部４３を含むことで、鋳造位置にある鋳造ロールの直下の保護雰囲気を支持できる。図３及び図７に示すように、上カラー部４３は、鋳造ロール直下の保護雰囲気を支持できる伸長位置と、上カバー４２が包囲体２７上部を覆うのを可能にする開放位置との間を移動可能である。ロールカセット１１が鋳造位置にある場合、上カラー部４３を伸長位置へ動かして、図３に示すように鋳造ロール１２に隣接したハウジング部５３と包囲体２７と間の空間を閉じる。上カラー部４３は包囲体２７内部にあるか若しくは包囲体２７に隣接し、鋳造ロールに隣接して設けられ、サーボ機構、流体圧機構、空気圧機構、回転アクチュエータ等の複数のアクチュエータ（図示せず）で動かすことができる。アクチュエータは包囲体２７外部に位置決めされ、上カラー部４３を伸長位置と開放位置との間で動かすことができる。上カラー部４３は伸長位置へと持上げられて、ロールカセット１１の一部であってもなくともよいハウジング部５３とシール係合し、鋳造位置にある鋳造ロールの直下の包囲体２７の保護雰囲気を支持できる。上カラー部４３は又、開放位置へと下げられてハウジング部５３から外され、上カバー４２が鋳造ロール下方の閉じ位置へと動いて以下で述べるように包囲体２７上部を覆うことを可能にすることができる。上カラー部４３は水冷できる。
【００４８】
上カバー４２を作動可能に動かして鋳造ロール下方の包囲体２７上部での閉じ位置に至らせることができるので、鋳造ロールを鋳造位置から外したときの包囲体内部の保護雰囲気の更なる制御が可能である。上カバー４２は包囲体２７上部内部に又は上部に隣接して作動可能に位置決めされ、包囲体を覆う閉じ位置と、鋳造ストリップを鋳造してロール間隙から下方に包囲体２７内へ至らせることのできる待避位置との間を移動可能である。上カバー４２が閉じ位置にあるとき、包囲体内の保護雰囲気を大幅に失うことなくロールカセット１１を鋳造位置から動かすことができる。これにより、鋳造ロールをロールカセットで迅速に交換することが可能となる。何故なら、カバー４２が閉じているので包囲体内の保護雰囲気を保つことが可能となり、保護雰囲気の交換が不要だからである。
【００４９】
サーボ機構、流体圧機構、空気圧機構、回転アクチュエータ等の１つ又は複数のアクチュエータ５９を設け、上カバー４２を閉じ位置と開放位置との間で動かすことができる。図７に示すように、上カバーが閉じ位置にあると包囲体２７内の保護雰囲気をほぼ劣化させることなく、ロールカセット１１を鋳造位置から動かすことができる。次いで、通例ロールカセット１１内にある鋳造ロールを鋳造位置へと動かすとき等には上カバーを待避させることができ、上カラー部４３をその伸長位置へと動かして図３に示すように包囲体２７内部の保護雰囲気を支持するので、鋳造ストリップは鋳造ロール間のロール間隙から下方に鋳造されて包囲体２７内へ至ることができる。図３及び図７に示すように、上カバー４２は上カラー部４３と連動して包囲体２７を閉じることができる。若しくは、上カバー４２は２つ以上の部分で構成して包囲体２７を閉じることができるようにしてもよい。上カバー４２は図３及び図７に示すように一対のレール６４等のガイドに沿って横方向に移動可能とし、アクチュエータ５９が上カバーをガイドに沿って閉じ位置と待避位置との間を動かすようにできる。若しくは、上カバー４２はピボット周りに旋回などの動きを可能とし、待避位置と閉じ位置との間を動くようにしてもよい。いずれにしろ、アクチュエータ５９は上カバーを閉じ位置と待避位置との間で動かすことができる。
【００５０】
鋳造ロールを備えたロールカセット１１は、ストリップ鋳造に備えるために鋳造機に迅速に据付けるためや据付け用に鋳造ロール１２を迅速セットアップするため、モジュールに組立てできる。ロールカセット１１は、カセットフレーム５２と、鋳造ロール１２を支持してカセットフレーム上を移動させることができるロールチョック４９と、鋳造ロール下方に位置決めされ、鋳造時に鋳造ロール直下の包囲体２７の保護雰囲気を支持できるハウジング部５３とからなる。ハウジング部５３はロール間隙下方で鋳造ストリップを包囲する包囲体２７上部に対応し、且つ包囲体２７上部にシール係合するよう位置決めされる。
【００５１】
ロールチョック位置決めシステムが主機械フレーム１０上に提供され、二対の位置決めアセンブリ５０，５１を有する。位置決めアセンブリ５０，５１は、ロールカセットに迅速接続でき、カセットフレーム５２上で鋳造ロールの移動を可能にするよう構成され、鋳造時に鋳造ロールの分離に抗する力を提供する。位置決めアセンブリ５０，５１は、機械的ロール偏寄ユニット又はサーボ機構、流体圧又は空気圧シリンダ又は機構、リニアアクチュエータ、回転アクチュエータ、磁気歪アクチュエータその他の装置等のアクチュエータを含むことができ、該アクチュエータは鋳造ロールの移動を可能にし、鋳造時の鋳造ロールの分離に抗する。
【００５２】
鋳造ロール１２は軸部２２を含み、該軸部２２は図１４に最も良く示されているように端カップリング２３を介し駆動軸３４に接続される。鋳造ロール１２は主機械フレームに取付けられた電動モータ（図示せず）及び変速装置３５により駆動軸を介し相互方向に回転される。カセットを取外すべき場合、駆動軸は端カップリング２３から外すことができ、位置決めアセンブリ５０，５１のアクチュエータを取外すことなく鋳造ロールの交換を可能にする。鋳造ロール１２の有する銅製の周壁内側には一連の長手方向に延び周方向に離間した水冷通路が形成され、水冷通路にはロール端を介し回転継手（図示せず）を経て給水ホース２４に接続される軸部２２の給水ダクトから冷却水が供給される。鋳造ロール１２の径は約５００ミリメートルであってよく、又は１２００ミリメートルまで若しくはそれ以上でもよい。鋳造ロール１２の長さは約２０００ミリメートルまで若しくはそれ以上とすることができ、それは約２０００ミリメートル幅のストリップ品の製造を可能にするため、若しくはそれ以上の所望幅の、ほぼロール幅のストリップ品を造るためである。加えて、鋳造表面は、個々の突起が分布して、例えば、特許文献１に開示されその請求項１で請求されているようなランダムの個々の突起が分布して、テクスチャ付けされていてよい。鋳造表面はクロム、ニッケル等の被覆材料で被覆してテクスチャを保護できる。
【００５３】
図３及び図５に示すように、清掃ブラシ３６を対の鋳造ロールに隣接配置して、清掃ブラシ３６の周が鋳造ロール１２の鋳造表面１２Ａと接触することで、鋳造時の鋳造表面から酸化物を清掃できる。清掃ブラシ３６は鋳造ロールに隣接した鋳造領域の両側、ロール間隙１８と、鋳造ロールが溶融金属鋳造溜め１９に接した保護雰囲気に入る鋳造領域との間に位置決めされる。所望に応じ例えば鋳造作業の開始時と終了時に鋳造ロール１２の鋳造表面１２Ａを更に清掃するため、オプションとして別個のスイーパブラシ３７を設けることができる。
【００５４】
ナイフシール６５は各鋳造ロール１２及びハウジング部５３に隣接して設けることができる。ナイフシール６５は所望に応じ鋳造ロール近傍に位置決めされ、ハウジング部５３と回転する鋳造ロール１２との間の部分的な遮蔽を形成する。ナイフシール６５はブラシ周りの雰囲気の制御ができ、鋳造ロールの周りで包囲体２７から高温ガスが出るのを減らすことができる。所望に応じ、ナイフシール６５は、鋳造位置にある鋳造ロール表面１２Ａから３〜４ミリメートルのところに位置決めされる。各ナイフシール６５の位置は、流体圧又は空気圧シリンダ等のアクチュエータによりナイフシールを鋳造ロールに対し接近・離反させることにより鋳造時に調整可能である。若しくは、ナイフシール６５は鋳造前に位置決めし鋳造時には調整不可とすることができる。
【００５５】
一旦ロールカセット１１が鋳造機の鋳造位置に置かれてから、鋳造ロール１２は薄ストリップ鋳造用の作業位置へと動かされる。この、作業位置への鋳造ロールの動きは、鋳造ロール１２の昇降又は横方向移動により行うことができる。この鋳造ロール１２の作業位置への動きは、鋳造ロール１２とロールカセット１２を一体にした動きにより、又は、ロールカセット１１の少なくとも一部とは別個に鋳造ロール１２を動かすことによりなされる。この作業位置への動きは一般に所望の特定の実施例次第であるが、鋳造ロールを作業位置へともたらす動きと時間を減らすよう、全般的に動きはできるだけ小さくする。作業位置は、鋳造ロールが高さの変化や横方向の移動なしに鋳造位置に到達するような位置であってよい。
【００５６】
一旦作業位置に着いたら、鋳造ロールは、ロールカセット１１に接続される位置決めアセンブリ５０，５１、端カップリング２３に接続される駆動軸、及び給水ホース２４に連結される冷却水源に対し固定される。複数のジャッキ５７を用いて作業位置で更に鋳造ロールを配置することができる。ジャッキ５７は図３に示すように鋳造位置でロールカセット１１を上げることができる。若しくは、ロールカセットは鋳造位置で下げられ又は横方向に動かされて鋳造ロールを作業位置に配置することができる。位置決めアセンブリ５０，５１が鋳造ロール１２の少なくとも一方を動かし、鋳造位置における所望のロール間隙、即ちロール間間隙を提供できる。
【００５７】
各鋳造ロール１２はロールカセット１１内に取付けられ、ストリップ品の鋳造制御のためロール間隙に対し接近・離反動できる。位置決めアセンブリ５０，５１は、所望に応じ各鋳造ロールをロール間隙に接近・離反動できるアクチュエータを含む。センサは鋳造ロールの位置を検出し、各鋳造ロールの位置を示す電気信号を生み出すことができるように設けられる。制御システムは、鋳造ロール位置を示す電気信号を受け、アクチュエータにより鋳造ロールを金属ストリップ鋳造用の所望位置へと動かすことができるよう設けられる。ストリップ連続鋳造装置は各鋳造ロールを別々に動かすことができる別々のアクチュエータを有することができる。
【００５８】
図１５及び図１６に示すように、位置決めアセンブリ５１は、ロールカセット１１に係合して鋳造ロール１２を動かすことができるフランジ９４を有することができる。位置決めアセンブリ５１は軸９６との共働でロールカセットに固定できる。軸９６はロールチョック４９内に出入りするアクチュエータ（図示せず）により位置決めされ、位置決めアセンブリ５１を、フランジ９４をロールカセット１１の対応する表面９８に対し押圧することにより固定できる。
【００５９】
位置決めアセンブリ５１は第１アクチュエータ１００を含む。第１アクチュエータ１００はフランジ９４に対してスラスト素子１０２を動かすことができる。第１位置センサ１０６はスラスト素子１０２の位置を割出し、それによりフランジ９４及びそれに固定されたロールチョック４９の位置を割出すために設けられる。第１位置センサ１０６は制御システムにロールチョック４９及び関連する鋳造ロール１２の位置を示す信号を提供する。
【００６０】
図１７に示すように、位置決めアセンブリ５０はロールカセット１１に係合できるフランジ１１２を有する。位置決めアセンブリ５０はフランジシリンダ１１４によりロールカセットに固定できる。フランジシリンダ１１４は係合することでフランジ１１２をロールカセット１１の対応する表面１１６に固定する。
【００６１】
位置決めアセンブリ５０はフランジ１１２に対しスラスト素子１２０を動かすことのできる第２アクチュエータ１１８を含むことができる。位置決めアセンブリ５０のためのスラスト素子１２０は、ばね位置決め装置１２２、圧縮ばね１２４、及びスラスト素子１２０内を圧縮ばね１２４に抗して移動可能な摺動可能軸１２６を含むことができる。ねじジャッキ１２８等のアクチュエータはばね位置決め装置１２２を動かし、それにより摺動可能軸１２６を前進させて圧縮ばね１２４を圧縮することができるように設けられる。フランジ１１２は摺動可能軸１２６に接続され、圧縮ばね１２４に抗して移動可能である。
【００６２】
第２位置センサ１３０は、摺動可能軸１２６の位置を割出し、それによりフランジ１１２及びそれに固定されたロールチョック４９の位置を割り出すために設けることができる。第２位置センサ１３０は、ロールチョック４９及び関連する鋳造ロール１２の位置を示す信号を制御システムに提供する。
【００６３】
アクチュエータ１００，１１８は鋳造ロールを独立して動かし、鋳造ロール間の距離を変えることができる。加えて、アクチュエータ１００，１１８は、鋳造ロール各端で独立して鋳造ロール間の距離を変えることができる。図１４に示すように、位置決めアセンブリ５０，５１は各鋳造ロールの各端に設けられ、各鋳造ロールの両端を独立して位置決めすることによりロール位置制御を提供できる。
【００６４】
位置センサ１０６，１３０は、鋳造ロール１２の位置を検出して各鋳造ロール位置を示す電気信号を生み出すことができる。制御システムは鋳造ロール位置を示す電気信号を受けて、アクチュエータにより鋳造ロール１２を金属ストリップ鋳造用の所望の位置へと動かすことができる。制御システムは、二対のアクチュエータ１００，１１８により鋳造ロール各端で独立して鋳造ロール間の距離を変えさせることにより各鋳造ロール１２各端の位置を独立して制御できる。
【００６５】
制御システムは、プログラム可能なコンピュータ、プログラム可能なマイクロコントローラ、マイクロプロセッサ、プログラム可能なロジック制御器、信号プロセッサ、又は他のプログラム可能な制御器等、センサから電気信号を受け、電気信号を処理し、アクチュエータ１００，１１８を所望通りに動かせる制御信号を提供できる、１つ又は複数の制御器を含むことができる。
【００６６】
追加のプロフィールセンサがロール間隙下流に位置決めされて、ストリップ幅に沿った複数位置でストリップ厚みプロフィールを検出し、ロール間隙下流のストリップ厚みプロフィールを表す電気信号を生み出すことができる。その結果、制御システムは、ストリップ厚みプロフィールを表す電気信号を処理して、アクチュエータにより鋳造ロールを動かし更には鋳造ストリップの厚みプロフィールを制御することができる。
【００６７】
ロールカセット１１に取付けられた鋳造ロール１２は、図２及び図８に示すように、セットアップステーション４７から移送ステーション４８を介し鋳造位置へと移送可能である。鋳造ロール１２はロールカセット１１内に組付けてからセットアップステーション４７に移動させることができ、セットアップステーションではロールカセットに取付けられた鋳造ロールは、鋳造用に備えることが可能である。移送ステーション４８ではロールカセットに取付けられた鋳造ロールは交換可能であり、鋳造位置ではロールカセットに取付けられた鋳造ロールは鋳造機内で運転可能である。鋳造ロールガイドは、ロールカセットに取付けられた鋳造ロールをセットアップステーションと移送ステーションとの間、移送ステーションと鋳造位置との間で移送させることができるよう構成される。ロールカセットに取付けられた鋳造ロールは鋳造位置へと昇降させることができる。
【００６８】
鋳造ロールガイドは、ロールカセット１１に取付けられた鋳造ロール１２を移送ステーションを介しセットアップステーションと鋳造位置との間で移動可能にできるレールからなることができる。第１レール５５はセットアップステーション４７から移送ステーション４８への間を延びることができ、第２レール５６は移送ステーション４８から鋳造位置への間を延びることができる。第２レール５６は鋳造位置の両側から鋳造位置へと延びることができる。若しくは、第２レール５６が鋳造位置から二方向に延び、第２移送ステーション及び第２セットアップステーションは両セットアップステーションから移送ステーションへの第１レールに対応するレールを備えているので、ロールカセット１１に取付けられた鋳造ロール１２が二方向のいずれかから鋳造位置に到達できるようにすることができる。斯くして、鋳造ロールガイドはロールカセットに取付けられた鋳造ロールをいずれかの移送ステーションから鋳造位置へと、鋳造位置にある場合の鋳造ロールとほぼ同じ高さで動かすことができる。若しくは、又は、加えて、鋳造ロールガイドはロールカセットに取付けられた鋳造ロールをセットアップステーションから移送ステーションへとほぼ同じ高さで又は異なる高さで移動させることができる。１つの代替例では、第１レール５５が第２レール５６とは異なる高さであって、移送ステーション４８が異なる高さ間を動いて、ロールカセット１１内に取付けられた鋳造ロール１２を第１レール５５と第２レール５６との間で動かすことができる。
【００６９】
いずれにしろ、鋳造ロールガイドにより、必要ならば、鋳造ロールガイド上で位置決めアセンブリ５０，５１とロールカセット１１の施錠係合が可能である。一実施例では、ロールカセット１１はロールカセットをレール５５，５６上で支持し、移動させることができるホイール５４を含むことができる。図３及び図７に示すように、ホイール５４は、レールと係合してホイールをレール上に留まらせることのできる部分を有することができる。若しくは又は加えて、レールは、ホイールと係合してホイールをレール上に留まらせることのできる部分を有することができる。
【００７０】
鋳造ロールガイドはロールカセット１１をレール５５，５６に沿って動かすことのできる推進システム（図示せず）を含むことができる。加えて、ロールカセット１１は、ロールカセット１１を動かすことのできる推進システムの少なくとも一部分を含むことができ、該部分は、ホイール５４を駆動することができるか又は鋳造ロールガイドの推進装置の対応する部分と協働することができる。推進システムは、例えば、コグ(cog)と駆動チェーン、プーリーとケーブル、駆動ねじとねじジャッキ、ラックとピニオン、リニアアクチュエータ、流体圧又は空気圧シリンダ、流体圧又は空気圧アクチュエータ、電動モータ等の、ロールカセット１１をレール５５，５６に沿って移動させることのできる装置を含むことができる。
【００７１】
ロールカセットに取付けられた鋳造ロールは、セットアップステーション４７で鋳造用に準備されることができる。ロールカセット上の初期鋳造ロール位置その他の調整は、鋳造ロールが鋳造用に準備されるときに行うことができる。セットアップステーション４７は第１レール５５上に位置決めできる。若しくは、セットアップステーション４７は第１レール５５とは別個であって、第１レール５５と同じ又は異なる高さであってよい。
【００７２】
図２及び図８に示すように、移送ステーション４８はターンテーブル５８を含むことができる。第１及び第２レール５５，５６の両方は、移送ステーションのターンテーブル５８上のレールと一列並びすることが可能で、ターンテーブル５８が回転されてロールカセットに取付けられた鋳造ロールを第１レール５５と第２レール５６との間で交換できる。ターンテーブル５８は図８の矢印「Ａ」で示すように中央軸線を中心に回転可能で、ロールカセットを１組のレールから別の組のレールへと移すことができる。図８に示すようにターンテーブル５８は、各々がロールカセットに取付けられた一組の鋳造ロールを保持でき、各々がそこから延びる一組のレール５５，５６と一列並びできる少なくとも２本のレール部分を含むことにより、ターンテーブルがその中心軸線を中心に回転する場合に、ターンテーブル上のロールカセットに取付けられた鋳造ロールが前記一組のレールと相並ぶ位置からもう一組のレールと相並ぶ位置へと動くことができる。
【００７３】
このように図８に示したターンテーブル５８は通例、ロールカセットに取付けられた２組の鋳造ロールを同時に移送するよう構成されているが、移送ステーションは所望なら３組又はそれ以上の組のロールカセットに取付けられた鋳造ロールを移送して１つ又は複数の双ロール鋳造機のサービスを同時に行うことができるよう構成できる。例えば、移送ステーション４８はシフトプラットフォーム（図示せず）を含んで、両第１及び第２レール５５，５６はシフトプラットフォーム上のレールと相並ぶことができる。こうすることで、シフトプラットフォームは水平、垂直又は横方向に動いてロールカセットに取付けられた鋳造ロールを第１レール５５と第２レール５６との間で動かすことができる。
【００７４】
交換時間を減らすために、鋳造のために準備された鋳造ロール１２付きロールカセット１１は、ロール交換のために溶融金属の鋳造を停止する以前に又は停止する間にセットアップステーションから移送ステーション４８に動かすことができる。このように、交換時間は、ロールカセットに取付けられた排出された鋳造ロールを鋳造位置から移送ステーションへ動かすのに必要な時間、移送ステーションで鋳造ロールを交換する時間、準備された鋳造ロールを移送ステーションから鋳造位置へ移動させる時間を含むことができる。
【００７５】
移送ステーション４８は、以下の段階を含む双ロール鋳造機における鋳造ロールの交換方法であって鋳造ロールガイドが一組のレールである場合に用いることができる。即ち、ロールカセット１１に取付けられた第１対の相互方向に回転可能な鋳造ロール１２を組立て、ロールカセットに取付けられた第１鋳造ロールをセットアップステーション４７で鋳造用に準備し、ロールカセットに取付けられた第１鋳造ロールを移送ステーション４８へと移動させ、移送ステーション４８でロールカセット１１に取付けられた第１鋳造ロールを第２ロールカセット１１'に取付けられた第２組の鋳造ロールと交換し、ロールカセットに取付けられた第１鋳造ロール１１を移送ステーションから、対の相互方向に回転可能な鋳造ロールが薄ストリップ鋳造用に位置決めされる鋳造位置へと移動させ、第２ロールカセット１１'に取付けられた第２鋳造ロールを移送ステーションから、ロールカセット１１'に取付けられた第２鋳造ロールを交換（即ち、交換、研磨し直し、又は修理）できるセットアップステーションへ移動させる、という段階を含む方法に用いることができる。
【００７６】
双ロール鋳造機はスクラップ容器２６の迅速な交換ができる。操業中、スクラップ容器２６は鋳造作業から生じる様々の材料で満杯となり交換を必要とすることがある。上記で論じたように、スクラップ容器２６は包囲体２７とシール係合して鋳造位置にある鋳造ロールの直下の保護雰囲気を支持できる。操業によっては、満杯のスクラップ容器を空のスクラップ容器と交換する時に保護雰囲気のロスを最小限とすることが望ましい場合もあれば、スクラップ容器２１の交換中に鋳造作業を継続するのが望ましい場合もある。
【００７７】
スクラップ容器２６は鋳造位置にある鋳造ロールの下方に位置決めされ、スクラップ容器ガイド６０上の鋳造位置から離反するいずれかの方向へスクラップ排出ステーション６１へと移動可能とすることができる。各スクラップ容器２６は包囲体に取付けられて鋳造位置にある鋳造ロールの直下の保護雰囲気を支持することができる。図９及び図１０に示すように、スクラップ容器ガイドは鋳造位置から相反方向に延びるレール６２であってよく、スクラップ容器レール６２は鋳造位置から排出ステーション６１へとレールに沿って移動可能な少なくとも２個のスクラップ容器２６を支持できる。スクラップ容器２６はスクラップ容器レール６２上を走行するホイール付き台車６３上に取付けることができる。スクラップ排出ステーション６１は、鋳造機から離反する各方向にあるスクラップ容器レール６２に隣接して位置決めされる。このようにして、満杯のスクラップ容器は鋳造位置からいずれかの離反方向に動かされてスクラップ排出ステーションに到達できる。
【００７８】
交換時間を減らすために、スクラップ容器２６を包囲体から外す以前に、交換の準備として空の第２スクラップ容器２６'を稼働中のスクラップ容器２６の直ぐ隣に位置決めすることができる。このようにすれば、第１スクラップ容器を外したときに第２スクラップ容器２６'は短い移動でスクラップ受領位置に至り、交換時間を減らすことができる。
【００７９】
失われる保護雰囲気の量を減らし且つ包囲体２７に入り込む空気量を減らすために、スクラップ受領位置へと動かされる前の第２スクラップ容器２６を窒素等（これに限定されない）の所望のガスで満たすことのできるガスダクトを位置決めできる。
【００８０】
スクラップ容器レール６２は、以下の段階を含む鋳造機におけるスクラップ容器の交換方法に用いることができる。即ち、スクラップ容器レール６２に沿って移動可能に第１及び第２スクラップ容器２６，２６'を支持し、第１スクラップ容器２６を包囲体とシール係合させて一対の鋳造ロールの下方に保護的な包囲体を形成し、第１スクラップ容器２６と包囲体２７との間をシール解除し第１スクラップ容器２６をスクラップ容器レール６２に沿って第２スクラップ容器２６'から離反する方向へ排出ステーション６１へと移動させ、第２スクラップ容器２６'を鋳造位置へと移動させて、第２スクラップ容器を包囲体２７にシール係合させる、という段階を含む方法に用いることができる。方法は、第２スクラップ容器２６'を鋳造位置へと移動させる以前に第２スクラップ容器２６'に所望のガスを満たす段階を含んでもよい。
【００８１】
可動タンディッシュ１４には分配器ローディング装置を備えることにより、双ロール鋳造機での分配器の迅速な交換を更に可能とすることができる。双ロール鋳造機は、分配器１６を待機位置その他の所望の位置から鋳造位置へ移動させることができるローディング装置を含む。分配器待機位置は鋳造位置にある分配器の位置よりも低い高さとすることができる。鋳造位置へと移動させるために、ローディング装置の少なくとも一部は、鋳造位置に位置決めされた分配器の高さより頭上とすることができる。図１１及び図１２に示すように、ローディング装置はタンディッシュガイド上を可動タンディッシュ１４と共に移動可能な少なくとも１本のローディングアーム７８であり、分配器を待機位置から動かして該分配器を鋳造位置にある鋳造ロールの上方に配することができる。若しくは、ローディング装置は天井クレーンその他の配置装置であってよい。
【００８２】
図１２の実施例では、２本のローディングアーム７８はタンディッシュカー６６上に位置決めされることができ、可動タンディッシュ１４が加熱ステーション６９から鋳造位置へと移動した後に、協働して分配器１６を分配器シフトカー８０上の待機位置８１から移動させ、前記分配器を鋳造位置にある鋳造ロール１２の上方に配置できる。図１２の実施例では、待機位置８１は、タンディッシュカー６６が鋳造位置にあるときにタンディッシュカーの下方に配置される。ローディングアーム７８はタンディッシュカーフレーム７１に移動可能に据え付けられた伸長可能なアーム８８を含むことができ、各ローディングアーム７８は分配器１６と係合できる１つ又は複数のクランプ８９を持つことができる。クランプ８９は、分配器と係合して分配器を移動させることのできるクランプ、ロック、フック、グリップその他の適宜装置であってよい。図１１に示すように、各ローディングアーム７８はトランドル８２上を移動可能であり、該トランドルはフレーム部材６７上を移動可能であり、駆動ねじ(drive screw)８３により駆動される。電源ケーブル８４はタンディッシュカーフレーム７１に対しローディングアーム７８を移動可能とするように設けられている。若しくは、移動装置は単一のフレーム部材６７上を移動可能である。
【００８３】
図１２に示すように、ローディングアーム７８はタンディッシュカー６６の各側に位置決めされるので、タンディッシュカー６６が鋳造位置に来た後に、２本の伸長可能なアーム８８を伸長させて分配器１６を待機位置８１に到達させることができる。リフタ７３，７４はタンディッシュカー６６上のタンディッシュ１４を持上げてタンディッシュカー下方で分配器を移動させる空隙を提供するのに用いることができる。各伸長可能なアーム８８上のクランプ８９は作動可能に分配器１６と係合し、ローディングアーム７８は分配器１６をタンディッシュカー６６下方の待機位置８１から持上げ、該分配器を鋳造位置にある鋳造ロール１２の上方に配置する。次いで、クランプ８９が解除され、伸長可能なアーム８８が後退できる。次いで、リフタ７３，７４はタンディッシュ１４を分配器１６上方の鋳造用の位置へと降下させることができる。
【００８４】
図１、図２及び図１４に示すように、分配器シフトカー８０は鋳造位置にある鋳造ロールに隣接して位置決めできる。分配器シフトカー８０は１つ又は複数の分配器１６を支持できる。分配器１６は可動台車８５上に位置決めできる。台車８５はシフトカー上のレールに対応したホイールを含むことができる。若しくは、台車８５はスライダ上を若しくは台車の開口を介し１つ又は複数の軸上を移動可能であり、又はもう一つの装置がシフトカー８０上で台車８５を移動可能に支持できる。シフトカー８０は更に、作動可能に台車８５に接続された推進システム８７を含み、推進システム８７は駆動ねじ、流体圧又は空気圧シリンダ等の駆動機構であって、鋳造に備えた分配器を待機位置８１へと移動させることができる。
【００８５】
シフトカー８０は、鋳造に備えて分配器１６を予熱する１つ又は複数の予熱器８６を含むことができる。予熱器８６は作動可能位置と解除位置との間を移動可能であるので、予熱器が解除位置にある場合に分配器１６を予熱器下方から待機位置８１へと移動させることができる。若しくは、予熱器は作動可能位置を持つことができ、それは分配器１６が予熱器の移動なしに動かされ得る空隙を提供する。
【００８６】
待機位置８１は、鋳造位置にある分配器の位置とほぼ相並んでシフトカー８０上にあってよい。このようにして、ローディングアーム７８は分配器を持上げて横方向に鋳造位置へと移動させることができる。分配器１６は、分配器１６が鋳造位置にある場合、鋳造機フレーム上で分配器を支持する取付けブラケット４１を担持する。
【００８７】
作業においては、タンディッシュカー６６は以下の段階を含む方法で用いることができる。即ち、可動タンディッシュ１４を加熱ステーション６９から鋳造位置へと進め、分配器１６を可動タンディッシュ下方の待機位置８１から持上げ、前記分配器を鋳造位置にある鋳造ロール１２の上方へと配置し、次いで、タンディッシュ１４を分配器１６上方の作動可能位置へと降下させる。タンディッシュカー６６は加熱ステーション６９から鋳造位置へと、タンディッシュカー６６が分配器待機位置８１の上方となるまで進めることができる。可動タンディッシュ１４はタンディッシュカー６６上の高められた位置にあることができる。次いで、２本のローディングアーム７８が協働して分配器１６を待機位置から持上げ、駆動ねじ８３に沿って横方向に移動し、次いで分配器を鋳造位置に配置する。次いで、タンディッシュ１４は分配器１６上方の作動可能位置へと降下できる。取鍋は、分配器１６を可動タンディッシュ下方の待機位置８１から持上げて前記分配器を鋳造位置にある鋳造ロール１２上方に配置する前に、タンディッシュを満たし始めることができる。
【００８８】
ローディングアーム７８を備えたタンディッシュカー６６は、分配器１６とタンディッシュ１４を鋳造位置に配置するための天井ロボットその他の配置装置を用いる必要を無くすので、タンディッシュ交換時間を減らすことができる。交換時間を減らすために、溶融金属の鋳造停止前に、加熱ステーション６９において第２タンディッシュカー６６'を、そして可動タンディッシュ１４を所望温度に加熱することができる。又、第２分配器１６'は予熱器８６により、鋳造に備えた所望温度へと予熱できる。鋳造停止後、ローディングアームは分配器を鋳造位置から持上げ、分配器シフトカー８０上方となるまで駆動ねじ８３に沿って横方向に移動し、分配器を台車８５上に配置する。次いで、鋳造位置にある第１タンディッシュカーが、加熱ステーションにある第２タンディッシュカーから離反する方向にもう一つの加熱ステーションへと移動する。次いで、第２タンディッシュカー６６'が自分の加熱ステーションから鋳造位置へと進むことができる。第２タンディッシュカー６６'が鋳造位置へと移動している間に、第２分配器１６'は予熱器８６から待機位置８１へと移動されることができ、鋳造位置への配置準備とすることができる。若しくは、タンディッシュカー６６は、分配器交換なしに、上記のように第２タンディッシュカー６６'と交換することができる。
【００８９】
通例、取鍋の交換は鋳造停止なしに可能であるが、それは、タンディッシュ内の溶融金属の量が、第１タンディッシュを取除いて第２タンディッシュを鋳造位置に位置決めする間、鋳造を維持するのに十分な場合であり、分配器１６の容量では交換の間に鋳造を維持するのに必要な溶融金属量が保たれない場合には、タンディッシュの交換は鋳造の中断となり得る。同様に、スクラップ容器の交換も鋳造を止めることなく可能である。
【００９０】
本発明を図面及び以上の記述で詳細に例示し、記述してきたが、それらは例示的性格のものであって限定的性格のものでなく、好適実施例を例示し、記述したのに過ぎず、本発明の範囲内にある全ての変更及び改変の保護が望まれていると理解すべきである。
【図１】
0005593421.tif 000002
【図２】
0005593421.tif 000003
【図３】
0005593421.tif 000004
【図４】
0005593421.tif 000005
【図５】
0005593421.tif 000006
【図６】
0005593421.tif 000007
【図７】
0005593421.tif 000008
【図８】
0005593421.tif 000009
【図９】
0005593421.tif 000010
【図１０】
0005593421.tif 000011
【図１１】
0005593421.tif 000012
【図１２】
0005593421.tif 000013
【図１３】
0005593421.tif 000014
【図１４】
0005593421.tif 000015
【図１５】
0005593421.tif 000016
【図１６】
0005593421.tif 000017
【図１７】
0005593421.tif 000018